(57)【要約】【課題】サポートをトンボ端太の底面と床面との間に介在させる際に作業者が傾倒を防止しつつ高さ調整を行う必要があり、非常に手間がかかる点を解消する。【解決手段】サポート設置金物１は、サポート１１をトンボ端太Ｐの底面と床面との間に介在させて、サポート１１を伸張して梁型枠２１の荷重を支持するまでの間、該サポート１１が傾倒しないように支える手間を省くべく、引掛部１Ｅを設けてサポート１１を引っ掛けられる構成とした。【選択図】図３
2010168859.tif 000002
【特許請求の範囲】
【請求項１】
コンクリート打設用の型枠を端太材を介して支持するためのサポートを設置する金物であって、板状の基板と、この基板に形成され、端太材を挿入するための挿入孔と、この挿入孔と連続し、前記基板の外形の一部を切り欠くようにして形成された挿入口と、この挿入口の外側に形成された引掛部と、この引掛部の基端部から前記挿入口を介して前記挿入孔の形状の一部として登り勾配で形成された案内部と、この案内部の前記引掛部と反対側の端部に前記挿入孔と連続して形成された固定部と、を有することを特徴とするサポート設置金物。
【請求項２】
案内部に段部が形成されていることを特徴とする請求項１記載のサポート設置金物。
【発明の詳細な説明】
【技術分野】
【０００１】
本発明は、例えば梁型枠を床面から支持するための支柱を、該梁型枠の端太材の下面に設置する作業を簡便かつ確実に行うことのできるサポート設置金物に関するものである。
【背景技術】
【０００２】
例えば梁をコンクリートにより構築するには、底板とこの側板とを桟木を介して釘により密着固定して梁型枠を組み、底板の下面において側板間に亘って端太材を配置し、さらに端太材の下面に該端太材と直交するように別の端太材（以下、これをトンボ端太という）を配置し、このトンボ端太の下面と床面との間に支柱（以下、これをサポートという）を介在させて該梁型枠を例えば水平に安定支持したうえ、梁枠内にコンクリートを打設する。
【０００３】
上記端太材は釘などによって梁型枠の側板などに固定され、また、トンボ端太はサポートに釘などにより固定している。サポートは例えば二重円筒の支柱と、この支柱の軸方向途中部位に内外筒の嵌合量を調節して長さ（高さ）調節を行う操作部と、該支柱の両端部に例えば正方形の平坦部とを有している。平坦部は、四隅にトンボ端太に対して釘を打ち込むための孔と、中央に支柱から連通した孔と、が各々形成されている。
【０００４】
サポートの高さ調整を行うことで、上下部の平坦面が該サポートを配置した床面とトンボ端太の下面とに接触して介在することとなる。サポートを介在させることにより、型枠を例えば水平に安定支持でき、また、打設後で硬化前のコンクリートと共に梁型枠が撓んだり自重で落下することがないようにしている。
【０００５】
サポートを設置するには、トンボ端太周辺の所定位置における底面に該サポートを配置し、この配置位置から水平方向、例えば傾倒したり移動しないように作業者が一方の手で支えて、他方の手で支柱を上方に向けて伸張するといったサポートの高さ調節を行う。こうした、サポート設置工程に用いられる金物として、下記の特許文献１，２が知られている。
【先行技術文献】
【特許文献】
【０００６】
【特許文献１】意匠登録第１１０１５５７号公報
【特許文献２】特開２００７−２５５０３１号公報
【０００７】
特許文献１には、逆凸字状の金物が示されており、この金物は、逆凸字状の水平短辺部に相当する部位に形成されたサポートの上記支柱から連通した孔へ挿入される挿入部と、水平長辺部に対する直交辺部の両端に形成された桟木に釘で固定するための孔と、これら直交辺部間に形成されたトンボ端太を支持する支持部と、を有した構成である。
【０００８】
一方、特許文献２には、トンボ端太をサポートに支持する第１金物と、トンボ端太を介してサポートを桟木に固定する第２金物とが示されている。第１金物は、逆凸字状の水平短辺部に相当する部位に形成されたサポートの支柱から連通した孔へ挿入される挿入部と、水平長辺部に対する直交辺部間に形成されたトンボ端太を支持する支持部と、を有した構成とされている。
【０００９】
特許文献２における第２金物は、正面視の例えば上端部が手前側に、下端部が奥側に、各々折り曲げられた側面視Ｚ字状とされ、この下端部の幅中央部位にトンボ端太が差し込まれる差込部が形成された構成とされている。
【００１０】
しかしながら、特許文献１と特許文献２の第１金物は、サポートを短尺化した状態でトンボ端太の下面に配置すると、該金物の支持部における直交辺部がトンボ端太（梁型枠）に到達していない。
【００１１】
したがって、特許文献１及び２の金物を用いても、依然として、トンボ端太の下面と底面とに達する長さ（高さ）に調節されるまで、サポートの傾倒、すなわち水平方向の移動に注意しなければならず、また、サポートの支柱を上方に伸張しなければならない点で、非常に手間であった。
【発明の概要】
【発明が解決しようとする課題】
【００１２】
解決しようとする問題点は、従来の特許文献１及び２の金物を用いたとしても、サポートをトンボ端太の底面と床面との間に介在させる際に作業者が傾倒を防止しつつ高さ調整を行う必要、及びサポートの高さ調整を底面から支柱を上方に伸張しなければならず、非常に手間がかかる点である。
【課題を解決するための手段】
【００１３】
本発明のサポート設置金物は、板状の基板と、この基板に形成され、端太材を挿入するための挿入孔と、この挿入孔と連続し、前記基板の外形の一部を切り欠くようにして形成された挿入口と、この挿入口の外側に形成された引掛部と、この引掛部の基端部から前記挿入口を介して前記挿入孔の形状の一部として登り勾配で形成された案内部と、この案内部の前記引掛部と反対側の端部に前記挿入孔と連続して形成された固定部と、を有する点を最も主要な特徴とする。
【発明の効果】
【００１４】
本発明は、例えサポートが短尺化されていてもサポートの孔を引掛部に引っ掛けておけるから、サポートが水平方向に傾倒することがない。また、サポートは引掛部に引っ掛けた後に、該引掛部を中心に回転させると、案内部により挿入口から挿入孔に案内され、このときトンボ端太（端太材）を挿入孔における所定位置にまで押し上げると共に、この後、サポートも固定部により固定される。
【００１５】
したがって、本発明は、サポートをトンボ端太の底面と床面との間に介在させる際に作業者が該サポートの傾倒を確実に防止するから、上記の安定した安全かつ容易な作業の後、サポートの高さ調整だけを行えばよくなり、よって、手間が大幅に軽減される。また、サポートは本発明のサポート設置金物を介して梁型枠側に引っ掛かった状態（宙づり）状態となるため、高さ調整を床面に向けて伸張すればよい点で容易となる。
【図面の簡単な説明】
【００１６】
【図１】図１は本発明のサポート設置金物を用いた梁型枠（ａ）、及びサポート（ｂ）を示す図である。
【図２】図２は本発明のサポート設置金物の使用状況においてトンボ端太を挿入する状態を示す図である。
【図３】図３は本発明のサポート設置金物の使用状況においてサポートを引っ掛けた状態を示す図である。
【図４】図４は本発明のサポート設置金物の使用状況においてサポートを回転している状態を示す図である。
【図５】図５は本発明のサポート設置金物の使用状況においてサポート及びトンボ端太が収まった状態を示す図である。
【発明を実施するための形態】
【００１７】
本発明は、サポートをトンボ端太の底面と床面との間に介在させて、サポートを伸張して梁型枠の荷重を支持するまでの間、該サポートの傾倒しないように支える手間を省くという目的を、梁型枠側に取り付けたサポート設置金物における引掛部にサポートを引っ掛けるという構成で実現した。
【実施例１】
【００１８】
本発明のサポート設置金物（以下、「設置金物」という）について、図１〜図５を参照した実施例１により説明する。本発明の設置金物を説明する前に、まず、梁型枠２１とサポート１１の構成について説明する。
【００１９】
梁型枠２１について説明する。梁型枠２１は、底板２２と、この底板２２の両端に該底板２２の裏面を越えて密接させた側板２３とから構築される。そして、本例においては側板２３の内側、すなわち底板２２と側板２３とでなす隅部分に桟木２４を配置して、底板２２が例えば水平にかつ側板２３との隙間が生じないように釘（不図示）により密着固定している。
【００２０】
梁型枠２１における底板２２の前記桟木２４を設けていない下面途中箇所には、角柱状の端太材２５が配置される。この端太材２５の下面に該端太材２５と直交するようにトンボ端太Ｐが配置され、このトンボ端太Ｐの下面と床面との間にサポート１１を設け、これら端太材２５、トンボ端太Ｐ及びサポート１１により、底板２２の自重やコンクリート打設によって該底板２２が撓まないように梁型枠２１全体が支持される。
【００２１】
サポート１１について説明する。本例におけるサポート１１は、内筒１２Ａが外筒１２Ｂに嵌合して伸縮可能とされた支柱１２とでなる。内筒１２Ａは、外筒１２Ｂへの嵌合端部から反対側の端部に向けて所定間隔を存して複数形成された調節孔１２Ａａが直径方向に対をなして形成されている。外筒１２Ｂは、内筒１２Ａを嵌合する端部にピン挿入孔１２Ｂａが直径方向に対をなして形成されている。
【００２２】
また、外筒１２Ｂの内筒１２Ａを嵌合する端部には、連通するように互いに位置決めされた、該外筒１２Ｂのピン挿入孔１２Ｂａと、該内筒１２Ａの調節孔１２Ａａと、を貫通する固定用のピン１３ａが設けられている。なお、これら、内筒１２Ａの調節孔１２Ａａ、外筒１２Ｂのピン挿入孔１２Ｂａ、及びピン１３ａにより、操作部１３が構成されている。
【００２３】
さらに、支柱１２の両端部、すなわち内筒１２Ａ及び外筒１２Ｂの互いに嵌合する端部とは反対の端部には、平坦部１４とを有している。平坦部１４は、四隅に孔１４ａと、中央に支柱１２から連通した中央孔１４ｂと、が各々形成されている。
【００２４】
次に、上記コンクリート打設用の梁型枠２１を端太材２５及び本例では特にトンボ端太Ｐを介して支持するためのサポート１１を設置金物１について説明する。設置金物１は、一枚の金属製で本例では例えば略正方形の板状の基板１Ａに、次の構成が一体的に形成されている。
【００２５】
基板１Ａは、該基板１Ａの外形の所定一辺に寄った部位にトンボ端太Ｐを挿入するための挿入孔１Ｂが形成されている。この挿入孔１Ｂは、その上辺寸法がトンボ端太Ｐの断面外形の上辺寸法とほぼ同一形状とされる。
【００２６】
基板１Ａの挿入孔１Ｂが形成された部位の上部には、後述のとおり側板２３に釘などを打ち込むための孔１ａが水平同高さに２箇所設けられている。また、この基板１Ａの挿入孔１Ｂ以外の箇所には、適宜の形状の補強用のリブ１ｂが設けられている。このリブ１ｂは本例では例えば基板１Ａの表裏一方面に凸状とされている。
【００２７】
また、挿入孔１Ｂは、両側辺のうち一方辺が切り欠かれて開放状態とされ、この開放部位にサポート１１の平坦部１４が後述の回転時に挿入される挿入口１Ｃが該挿入孔１Ｂと連続的に形成されている。さらに、挿入孔１Ｂは、下辺に前記挿入口１Ｃ側からしだいに登り勾配とされた案内部１Ｄが形成されている。
【００２８】
挿入口１Ｃは、挿入孔１Ｂにおける、両側辺のうちの開放した側辺（以下、開放辺という）の下端と、案内部１Ｂを構成する下辺と、で構成されており、案内部１Ｄの勾配にもよるが、少なくともサポート１１の平坦部１４の厚みの２〜３倍の寸法とされている。
【００２９】
また、案内部１Ｄを構成する挿入孔１Ｂの下辺は、開放辺より外側に突出しており、この突出部位すなわち挿入口１Ｃの外側に、サポート１１の平坦部１４における孔１４ａを引っ掛けるための引掛部１Ｅが、案内部１Ｄと連続して上方に延びるように形成されている。
【００３０】
この引掛部１Ｅの高さは、後述、サポート１１を回転させ、平坦部１４が案内部１Ｄによって最終まで案内されても該平坦部１４が該引掛部１Ｅから抜けない程度の高さとされている。
【００３１】
案内部１Ｄは、前記引掛部１Ｅの基端部から、開放辺とは反対の側辺（以下、反開放辺という）を越えて、挿入孔１Ｂの下辺及び後述の固定部１Ｆの一部（下辺）を構成するように、該基端部から反開放辺へ向けて登り勾配で形成される。
【００３２】
さらに、案内部１Ｄには、本例では、登り勾配の傾斜途中部位、すなわち開放辺付近の部位と、反開放辺付近の部位と、に段部１Ｄａ及び段部１Ｄｂが形成されている。
【００３３】
また、案内部１Ｄの、挿入孔１Ｂにおける反開放辺を越えた部位には、この部位を下辺とする、サポート１１の平坦部１４を垂直方向に固定する固定部１Ｆが、該挿入孔１Ｂと連続して形成されている。
【００３４】
次に、本発明の設置金物１を用いたサポート１１による梁型枠２１の支持手順について説明する。なお、この説明では、既に、梁型枠２１に端太材２５を配置した状態から説明する。設置金物１は、図１に示す側板２３の外側、すなわち桟木２４の存在しない側から、側板２３（を介して桟木２４）に対して孔１ａから釘などを打ち込んで取り付ける。
【００３５】
このとき、設置金物１は、挿入孔１Ｂの上辺が例えば底板２２と平行となると共に、該挿入孔１Ｂの上辺が、側板２３の下辺縁部（及び桟木２４と端太材２５）と同高さとなるように側板２３に取り付ける。
【００３６】
そして、図２に示すように、トンボ端太Ｐを挿入孔１Ｂに挿入する。このとき、トンボ端太Ｐの下辺部が、案内部１Ｄの段部１Ｄａと当接する。また、トンボ端太Ｐの上辺部は、この段階では、未だ挿入孔１Ｂの上辺部に接していない。
【００３７】
トンボ端太Ｐを挿入孔１Ｂに挿入した後、図３に示すように、サポート１１の平坦部１４における孔１４ａを設置金物１の引掛部１Ｅに引っ掛ける。このとき、平坦部１４の下面が、案内部１Ｄの段部１Ｄａと当接して、一旦、引っ掛けた状態を安定的に支持する。  
【００３８】
こうしてサポート１１を引掛部１Ｅに引っ掛けておけば、以降の作業では、サポート１１が傾倒することがないので、従来のようにサポート１１を伸張するまで手で支えるといった手間を省くことができる。
【００３９】
次に、図４に示すように、引掛部１Ｅに引っ掛けた状態の、平坦部１４における孔１４ａを中心に、サポート１１を回転させる。このとき、サポート１１は、平坦部１４の下面が（段部１Ｄａと段部１Ｄｂとの間の）案内部１Ｄの勾配に案内されて、該平坦部１４の上面でトンボ端太Ｐを挿入部１Ｂ内において上方に押し上げることとなる。
【００４０】
そして、上記サポート１１の回転によって案内部１Ｄの勾配に案内され、平坦部１４の下面が、段部１Ｄｂに到達したとき、ここで再度安定した状態となる。すなわち、段部１Ｄａ及び段部１Ｄｂは、サポート１１を引掛部１Ｅに引っ掛けた作業における要所において該サポート１１を安定させる機能を有している。
【００４１】
段部１Ｄａは、サポート１１を引掛部１Ｅに引っ掛けた直後で回転前に該サポート１１を安定させている。また、段部１Ｄｂは、サポート１１を固定部１Ｆに挿入させると共にトンボ端太Ｐを挿入孔１Ｂの上辺に当接するように押し上げる直前において該サポート１１を安定させている。これら段部１Ｄａ及び段部１Ｄｂを設けることで、例えばサポート１１が逆回転したりせず、作業を要所で区切りつつ行うことができる。
【００４２】
図５に示すように、サポート１１を図４の状態からさらに回転させると、平坦部１４における、引掛部１Ｅに引っ掛けた孔１４ａが形成された側の辺と対向する側の辺が、固定部１Ｆに達する。固定部１Ｆに平坦部１４が達することで、平坦部１４は固定部１Ｆの上辺に当接してそれ以上の傾動が許容されないから、水平状態に配置されることとなる。
【００４３】
このとき、トンボ端太Ｐの上辺が、挿入孔１Ｂの上辺と当接することとなる。この状態で、トンボ端太Ｐを、梁型枠２１の桟木２４及び端太材２５を介した底板２２を所定の配置状態（例えば本例では水平）となるように配置したことになる。なお、サポート１１は引掛部１Ｅに引っ掛けた段階（図３）において、すでに、水平方向に傾倒しないように設置されている。
【００４４】
上記作業の後、作業者はサポート１１のトンボ端太Ｐ周辺から完全に手を離して、今度は操作部１３による伸張作業に移る。従来では、この操作部１３による伸張作業を行う際にも、サポート１１が水平に傾倒する可能性があるため、一方の手でトンボ端太Ｐ周辺から支えておき、他方の手で操作部１３を操作しなければならなかった。
【００４５】
従来に対して、本発明の設置金物１を用いた場合は、上記のとおり、作業者はサポート１１のトンボ端太Ｐ周辺から完全に手を離して、操作部１３による、仮高さの位置に挿入されたピン１３ａを調整孔１２Ａａ及びピン挿入孔１２Ｂａから抜き、梁型枠２１の荷重を受ける高さにまで、内筒１２及び外筒１２Ｂを伸張して、ピン１３ａを調整孔１２Ａａ及びピン挿入孔１２Ｂａを挿入するといった伸張作業が行えるので手間が大幅に省ける。
【００４６】
また、従来はサポート１１は底面に設置されて、高さ調節のために上方に支柱１２を伸張させる必要があった。こうした従来に対して、本発明の設置金物１を用いた場合は、梁型枠２１側に設置され、高さ調節のために下方に支柱１２を伸張させればよい。つまり、操作部１３のピン１３ａを抜けば、外筒１２Ｂの自重で自ずと底面まで伸張が行えることとなり作業は簡便となる。
【符号の説明】
【００４７】
１  （サポート）設置金物
２  基板
１Ｂ  挿入孔
１Ｃ  挿入口
１Ｄ  案内部
１Ｄａ，１Ｄｂ  段部
１Ｅ  引掛部
１Ｆ  固定部
１１  サポート
１３  操作部
１４  平坦部
１４ａ  孔
２１  梁型枠
２２  底板
２３  側板
Ｐ  トンボ端太
【図１】
2010168859.tif 000003
【図２】
2010168859.tif 000004
【図３】
2010168859.tif 000005
【図４】
2010168859.tif 000006
【図５】
2010168859.tif 000007